(57)【要約】【課題】広帯域において、アンテナのインピーダンス変化に追従して安定的にインピーダンス整合をとる。【解決手段】局部発振回路３を共用した同一構成のメインチューナ４とサブチューナ５を設け、アンテナインピーダンスの異なるタップにメインチューナ４とサブチューナ５を接続する。各チューナは、同一の周波数に対してチューニングを行う。ＣＰＵ１１は、メインチューナ４とサブチューナ５間で受信信号強度又はＳ／Ｎ比が同程度になるように、インピーダンス整合器１のリアクタンスを調整する。また、メインチューナ４とサブチューナ５間における受信信号強度又はＳ／Ｎ比の差分に応じてリアクタンスを調整することにより、アンテナ本体２の形状変化等に由来するインピーダンス変化に対応する。【選択図】図１
2008160226.tif 000002
【特許請求の範囲】
【請求項１】
第１チューナと、
単一のアンテナ本体と前記第１チューナとの間に介在し、両者間のインピーダンス整合を行うためのコイル回路を備え、前記コイル回路内に設けたタップに前記第１チューナを接続したインピーダンス整合器と、
前記コイル回路のリアクタンスを調整して前記インピーダンス整合をとる調整手段と、
前記インピーダンス整合器を介して前記アンテナ本体に接続された第２チューナと、を備えた受信装置であって、
前記第１チューナと前記第２チューナは、共通の周波数の局部信号を使用して、同一の周波数に対してチューニングを行い、
前記タップと異なる、前記コイル回路内の他のタップに前記第２チューナを接続することによって、前記第１チューナに対するアンテナインピーダンスと前記第２チューナに対するアンテナインピーダンスとを異ならせ、
前記調整手段は、前記第１チューナ及び前記第２チューナの受信信号強度又はＳ／Ｎ比を比較対象とし、前記第１チューナと前記第２チューナ間で前記比較対象を比較して、その比較結果に基づいて前記コイル回路のリアクタンスを調整することにより前記インピーダンス整合をとる
ことを特徴とする受信装置。
【請求項２】
前記調整手段は、前記第１チューナの比較対象と前記第２チューナの比較対象との差分に基づいて前記アンテナ本体のインピーダンスの変化状態を判断し、その判断結果に基づいて前記コイル回路のリアクタンスを調整することにより前記インピーダンス整合をとる
ことを特徴とする請求項１に記載の受信装置。
【請求項３】
前記調整手段は、単位時間あたりの前記比較対象の変化量を監視し、前記変化量に応じて前記リアクタンスの調整を行う
ことを特徴とする請求項１または請求項２に記載の受信装置。
【請求項４】
前記比較対象としての、前記受信信号強度又は前記Ｓ／Ｎ比を記憶する記憶手段を備えた
ことを特徴とする請求項１〜請求項３の何れかに記載の受信装置。
【請求項５】
前記第１チューナと前記第２チューナは、同じ構成を有する
ことを特徴とする請求項１〜請求項４の何れかに記載の受信装置。
【発明の詳細な説明】
【技術分野】
【０００１】
本発明は、放送波などの電波を受信する受信装置に関する。特に、広帯域において、アンテナの形状変化等に由来するアンテナのインピーダンス変化に追従して、リアルタイムにインピーダンス整合をとる制御手法に関する。
【背景技術】
【０００２】
携帯電話機、携帯型ラジオ受信機及び携帯型テレビ受信機などの携帯機器において、ＭＦ帯からＵＨＦ帯までの広帯域で安定した受信感度が求められている。ところが、小型機器である携帯機器にてＭＦ帯、ＶＨＦ帯及びＵＨＦ帯の各周波数帯域の電波を受信する場合、安定した受信利得を得るためには、通常、各帯域用のアンテナが夫々必要となる。また、波長の長いＭＦ帯を受信しようとする場合は、携帯機器に備えられる短いアンテナでは所望の利得を得られる受信帯域が狭くなり、アンテナのインピーダンス調整を細かく行わなくては受信感度が低下するという問題もある。これらの問題は、携帯機器の小型化とコスト削減を困難なものとしており、単一のアンテナにて広帯域の受信を安定して実現可能な受信装置が求められている。
【０００３】
尚、通信機では、通常、送信電力を利用して進行波と反射波からＶＳＷＲ（Voltage Standing Wave Ratio）を算出し、これに基づいてアンテナのインピーダンスを調整する。しかしながら、この手法は、送信電力が必要であるため電力消費の増大を招く。また、放送波に割り当てたれた周波数帯で電波を放射することは、法規上、認められないため、この手法を受信装置に適用することは適切ではない。
【０００４】
また、受信装置のアンテナとしてイヤホンアンテナなどが用いられる場合がある。イヤホンアンテナは、通常メーカーによって仕様と形状が異なるため、アンテナとしてのインピーダンスが様々である。また、持ち運びされることからアンテナの形状が固定されないと共にアンテナに対する人体の影響も一定でないため、アンテナのインピーダンス変化に絶えず追従しなければ、受信する放送波の受信信号強度が安定しにくい。
【０００５】
ＲＦチューナ側でアンテナのインピーダンス変化に対応することも考えられるが、ＲＦチューナで実施されるのは、受信信号のフィルタリングとＡＧＣ（Auto Gain Control）による受信信号の増幅であるため、受信信号と同時にノイズも増幅してしまう。従って、受信を希望する電波の電界強度がノイズレベルに近いと、アンテナ側でインピーダンス調整をしなくては所望のＳ／Ｎ比が得られず、結果、安定した放送波の受信は困難となる。
【０００６】
また、下記特許文献１には以下のような技術が開示されている。ＲＦチューナへのＲＦ信号を受信するアンテナシステムのインピーダンスに基づいて、ＲＦチューナのＲＦ入力フィルタの周波数応答調整を行う。インピーダンスに合わせて設計されていないアンテナ入力におけるアンテナシステムインピーダンスによりＲＦチューナで発生したミスチューニングの状態を、その周波数応答調整によって、ＲＦチューナ側で補償する。ＲＦチューナのＲＦ入力フィルタの周波数応答性は、チューニング周波数で測定されたパラメータに基づき、制御電圧信号によって調整可能になっている。
【０００７】
特許文献１に記載の技術では、チューナ側でインピーダンス整合をとるための調整が実施されることになる。受信装置の小型化等を目的として、一般的に、チューナはシリコン基板上に形成されるが、そのようなチューナにおいて、大きなリアクタンス成分及びキャパシタンス成分を得ることは困難である。特許文献１に記載の技術の場合、可変容量ダイオードのキャパシタンス成分を変動させることによってインピーダンスを整合させようとしているが、通常、キャパシタンスの変動範囲は５０ｐＦ（ピコファラッド）以下であり、その程度の変動範囲では、ＭＦ帯のような比較的低周波の帯域に対応することは到底できない（即ち、ＭＦ帯でのインピーダンス整合が困難である）。
【０００８】
【特許文献１】特表２００５−５２４２７４号公報
【発明の開示】
【発明が解決しようとする課題】
【０００９】
本発明は、上記の点に鑑み、広帯域において、安定的にインピーダンス整合をとることのできる受信装置を提供することを目的とする。特に、広帯域において、アンテナのインピーダンス変化に追従して安定的にインピーダンス整合をとることのできる受信装置を提供することを目的とする。
【課題を解決するための手段】
【００１０】
上記目的を達成するために本発明に係る受信装置は、第１チューナと、単一のアンテナ本体と前記第１チューナとの間に介在し、両者間のインピーダンス整合を行うためのコイル回路を備え、前記コイル回路内に設けたタップに前記第１チューナを接続したインピーダンス整合器と、前記コイル回路のリアクタンスを調整して前記インピーダンス整合をとる調整手段と、前記インピーダンス整合器を介して前記アンテナ本体に接続された第２チューナと、を備えた受信装置であって、前記第１チューナと前記第２チューナは、共通の周波数の局部信号を使用して、同一の周波数に対してチューニングを行い、前記タップと異なる、前記コイル回路内の他のタップに前記第２チューナを接続することによって、前記第１チューナに対するアンテナインピーダンスと前記第２チューナに対するアンテナインピーダンスとを異ならせ、前記調整手段は、前記第１チューナ及び前記第２チューナの受信信号強度又はＳ／Ｎ比を比較対象とし、前記第１チューナと前記第２チューナ間で前記比較対象を比較して、その比較結果に基づいて前記コイル回路のリアクタンスを調整することにより前記インピーダンス整合をとることを特徴とする。
【００１１】
アンテナインピーダンスが異なるタップに第１チューナと第２チューナを接続して、両者の受信信号強度又はＳ／Ｎ比を比較する。そして、この比較結果を参照しつつ、例えば第１チューナの受信信号強度又はＳ／Ｎ比が最大（或いは最大付近）となる状態を探索し、これによってインピーダンス整合をとる。これにより、安定的にインピーダンス整合をとることが可能である。また、チューナ側でなく、コイル回路を利用してアンテナ側でインピーダンス調整を行うため、ＭＦ帯を含む広帯域での対応が可能である。
【００１２】
また例えば、前記調整手段は、前記第１チューナの比較対象と前記第２チューナの比較対象との差分に基づいて前記アンテナ本体のインピーダンスの変化状態を判断し、その判断結果に基づいて前記コイル回路のリアクタンスを調整することにより前記インピーダンス整合をとる。
【００１３】
これにより、アンテナ本体のインピーダンス変化に追従して、安定的にインピーダンス整合をとることが可能となる。
【００１４】
また例えば、前記調整手段は、単位時間あたりの前記比較対象の変化量を監視し、前記変化量に応じて前記リアクタンスの調整を行う。
【００１５】
これにより、前記比較対象の変化量に応じた迅速な調整が可能となる。
【００１６】
また例えば、当該受信装置は、前記比較対象としての、前記受信信号強度又は前記Ｓ／Ｎ比を記憶する記憶手段を備えている。
【００１７】
また例えば、前記第１チューナと前記第２チューナは、同じ構成を有する。
【発明の効果】
【００１８】
本発明に係る受信装置によれば、広帯域において、安定的にインピーダンス整合をとることができる。また、広帯域において、アンテナのインピーダンス変化に追従して安定的にインピーダンス整合をとることができる。
【発明を実施するための最良の形態】
【００１９】
以下、本発明の実施の形態につき、図面を参照して具体的に説明する。参照される各図において、同一の部分には同一の符号を付し、同一の部分に関する重複する説明を原則として省略する。
【００２０】
まず、図１を参照して、本発明の実施形態に係る受信装置の構成及び基本的機能について説明する。
【００２１】
図１は、本発明の実施形態に係る受信装置の回路構成図である。図１の受信装置は、アンテナインピーダンス整合器１（以下、インピーダンス整合器１と略記する）と、アンテナ本体２と、局部発振回路３と、メインチューナ４と、サブチューナ５と、制御電圧ジェネレータ８と、信号測定回路９と、ＣＰＵ（Central Processing Unit）１１と、データメモリ１２と、プログラムメモリ１３と、を備えて構成される。
【００２２】
インピーダンス整合器１は、ＦＥＴ（Field effect transistor）から成るスイッチＳＷ１及びＳＷ２と、可変ローディングコイル１６と、可変コイル１７及び１８と、コイル１９と、を備える。
【００２３】
メインチューナ４は、ＲＦアンプ４１と、ミキサ４２と、可変フィルタ４５と、信号強度検出回路４７と、Ｓ／Ｎ比検出回路４８と、を備える。サブチューナ５は、ＲＦアンプ５１と、ミキサ５２と、可変フィルタ５５と、信号強度検出回路５７と、Ｓ／Ｎ比検出回路５８と、を備える。
【００２４】
ＲＦアンプ４１及び５１は同じものであり、ミキサ４２及び５２は同じものであり、可変フィルタ４５及び５５は同じものであり、信号強度検出回路４７及び５７は同じものであり、Ｓ／Ｎ比検出回路４８及び５８は同じものである。即ち、メインチューナ４とサブチューナ５の構成は、基本的に同じとなっており、メインチューナ４とサブチューナ５は、同一の所望の周波数に同調をとる。
【００２５】
但し、メインチューナ４のみに局部発振回路３が設けられており、メインチューナ４とサブチューナ５は、この１つの局部発振回路３を共用する。尚、局部発振回路３がメインチューナ４の外に設けられていると考えても構わない。また、信号強度検出回路４７及びＳ／Ｎ比検出回路４８が、メインチューナ４の外に設けられていると考えても構わない。同様に、信号強度検出回路５７及びＳ／Ｎ比検出回路５８が、サブチューナ５の外に設けられていると考えても構わない。
【００２６】
可変ローディングコイル１６、可変コイル１７、可変コイル１８及びコイル１９は、この順番で直列接続されて直列回路を形成している。アンテナ本体２の一端は、この直列回路を介して基準電位点に接続されている。より具体的には、アンテナ本体２の一端は、可変ローディングコイル１６の一端に接続され、可変ローディングコイル１６、可変コイル１７、可変コイル１８及びコイル１９をこの順番で介して基準電位点に接続されている。
【００２７】
可変ローディングコイル１６と可変コイル１７の接続点（以下、タップＴＰ１という）は、スイッチＳＷ１を介してＲＦアンプ５１の入力端子に接続されている。可変コイル１７と可変コイル１８の接続点（以下、タップＴＰ２という）は、ＲＦアンプ４１の入力端子に直接接続されている。可変コイル１８とコイル１９の接続点（以下、タップＴＰ３という）は、スイッチＳＷ２を介してＲＦアンプ５１の入力端子に接続されている。ＣＰＵ１１は、可変ローディングコイル１６、可変コイル１７及び１８の各インダクタンスを可変設定することにより、可変ローディングコイル１６、可変コイル１７及び１８の各リアクタンスを調整する。コイル１９のインダクタンスは固定されている。
【００２８】
アンテナ本体２は、図示されない送信装置から送信されてきた無線電波を受信する。受信した無線電波に応じた高周波信号が、タップＴＰ１、ＴＰ２及びＴＰ３に現れる。タップＴＰ２に現れた高周波信号はＲＦアンプ４１に入力される。ＲＦアンプ４１は、入力された高周波信号を増幅し、増幅後の信号をミキサ４２に出力する。ミキサ４２は、局部発振回路３にて生成された所定の周波数を有する局部信号とＲＦアンプ４１の出力信号とを混合することによってＩＦ信号を生成し、このＩＦ信号を可変フィルタ４５に送る。
【００２９】
可変フィルタ４５は、フィルタ特性を変更可能なバンドパスフィルタであり、ミキサ４２からのＩＦ信号から通過帯域内の信号成分を抽出し、抽出によって得られた信号を出力する。信号強度検出回路４７は、可変フィルタ４５の出力信号の信号強度（換言すれば、メインチューナ４の受信信号強度）を検出する。Ｓ／Ｎ比検出回路４８は、可変フィルタ４５の出力信号における信号対雑音比（以下、「Ｓ／Ｎ比」という）を検出する。可変フィルタ４５の出力信号、並びに、信号強度検出回路４７及びＳ／Ｎ比検出回路４８の各検出結果を表す信号は、信号測定回路９によって読み取られる。また、可変フィルタ４５の出力信号に基づいて受信電波の表す情報（映像情報や音声情報）が復元され、該情報に従って映像表示や音声出力などが実現される。
【００３０】
尚、可変フィルタ４５は、フィルタ特性を変更可能なハイパス可変フィルタと、フィルタ特性を変更可能なローパス可変フィルタを、組み合わせることによって実現される。可変フィルタ５５も同様である。
【００３１】
スイッチＳＷ１及びＳＷ２は、ＣＰＵ１１からのスイッチ制御信号に応じて、択一的にオンする。従って、スイッチＳＷ１がオンの時、スイッチＳＷ２はオフとされ、スイッチＳＷ２がオンの時、スイッチＳＷ１はオフとされる。スイッチＳＷ１がオンの時、タップＴＰ１に現れる高周波信号がＲＦアンプ５１に入力される一方、スイッチＳＷ２がオンの時、タップＴＰ３に現れる高周波信号がＲＦアンプ５１に入力される。
【００３２】
ＲＦアンプ５１は、スイッチＳＷ１又はＳＷ２を介して入力された信号を増幅し、増幅後の信号をミキサ５２に出力する。ミキサ５２は、局部発振回路３にて生成された上記局部信号とＲＦアンプ５１の出力信号とを混合することによってＩＦ信号を生成し、このＩＦ信号を可変フィルタ５５に送る。
【００３３】
可変フィルタ５５は、フィルタ特性を変更可能なバンドパスフィルタであり、ミキサ５２からのＩＦ信号から通過帯域内の信号成分を抽出し、抽出によって得られた信号を出力する。信号強度検出回路５７は、可変フィルタ５５の出力信号の信号強度（換言すれば、サブチューナ５の受信信号強度）を検出する。Ｓ／Ｎ比検出回路５８は、可変フィルタ５５の出力信号におけるＳ／Ｎ比を検出する。可変フィルタ５５の出力信号、並びに、信号強度検出回路５７及びＳ／Ｎ比検出回路５８の各検出結果を表す信号は、信号測定回路９によって読み取られる。
【００３４】
信号測定回路９によって読み取られた信号（或いは、該信号によって表される情報）は、必要に応じて、ＣＰＵ１１に伝達される。
【００３５】
以下、メインチューナ４に関して述べられる信号強度及びＳ／Ｎ比は、信号強度検出回路４７及びＳ／Ｎ比検出回路４８によって検出されたそれらを指すものとし、サブチューナ５に関して述べられる信号強度及びＳ／Ｎ比は、信号強度検出回路５７及びＳ／Ｎ比検出回路５８によって検出されたそれらを指すものとする。
【００３６】
制御電圧ジェネレータ８は、ＣＰＵ１１の制御の下、所望の電圧値を有する制御電圧を生成し、その制御電圧を可変フィルタ４５及び５５に与える。可変フィルタ４５及び５５に与えられる制御電圧は同じものである。可変フィルタ４５及び５５の夫々の通過帯域は、与えられた制御電圧によって定まり、該制御電圧に応じて変化する。
【００３７】
ＣＰＵ１１は、プログラムメモリ１３に格納されたプログラムに従って図１の各部の動作を統括的に制御すると共に、必要なデータをデータメモリ１２に記録させる。
【００３８】
ＣＰＵ１１は、受信を希望する電波（放送波など）の周波数及び該電波の変調方式に応じ、制御電圧ジェネレータ８にて生成される制御電圧を制御し、これによって可変フィルタ４５及び５５の通過帯域を調節する。変調方式として、ＡＭ（Amplitude Modulation）方式、ＦＭ（Frequency Modulation）方式及びＳＳＢ変調（Single Side Band amplitude modulation）方式などがある。また、受信周波数に隣接する他局の周波数による混信に備えると共にＳ／Ｎ比の向上を図るべく、ＣＰＵ１１は、制御電圧ジェネレータ８に対する制御を介して、可変フィルタ４５及び５５の通過帯域を調節する。
【００３９】
ここで、「受信周波数」とは、図１の受信装置が受信を希望する電波（主として、放送波）の周波数を表し、それは、ユーザからの操作等に従って決定される。受信周波数は、上記の局部信号の周波数と、可変フィルタ４５（又は５５）の通過帯域の中心周波数と、の差分周波数となる。
【００４０】
メインチューナ４とサブチューナ５は、同一のアンテナ本体２に接続され該アンテナ本体２を介して同じ周波数の電波を受信するのであるが、両チューナは、アンテナインピーダンスが異なる箇所（タップ）に接続されている。即ち、図１に示す如く、メインチューナ４とサブチューナ５は、インピーダンス整合器１内の異なる箇所（タップ）に接続されている。これにより、メインチューナ４に対するアンテナインピーダンスに比べてサブチューナ５に対するアンテナインピーダンスは高く或いは低くなる。
【００４１】
「メインチューナ４に対するアンテナインピーダンス」とは、メインチューナ４から見た（より詳しくはＲＦアンプ４１から見た）、アンテナ本体２とインピーダンス整合器１の合成回路の出力インピーダンスを意味する。「サブチューナ５に対するアンテナインピーダンス」とは、サブチューナ５から見た（より詳しくはＲＦアンプ５１から見た）、アンテナ本体２とインピーダンス整合器１の合成回路の出力インピーダンスを意味する。
【００４２】
また、タップＴＰ１又はＴＰ３からの高周波信号はスイッチＳＷ１又はＳＷ２によって減衰するため、何ら補間をしなければ、この減衰量の分、メインチューナ４とサブチューナ５間で信号強度が異なってしまうが、ＲＦアンプ４１及び５１は、この減衰に起因するメインチューナ４とサブチューナ５間の信号強度の相違を排除する機能をも担う。尚、ＣＰＵ１１にて、上記の減衰量を計算を介して補間することも可能である。
【００４３】
可変ローディングコイル１６並びに可変コイル１７及び１８の各インダクタンスの可変手法について説明する。各インダクタンスを可変とすることにより、可変ローディングコイル１６並びに可変コイル１７及び１８の各リアクタンスも可変となる。
【００４４】
図２は、可変ローディングコイル１６の内部回路図である。図２に示す如く、可変ローディングコイル１６は、複数のコイルＬ１〜Ｌ５を直列接続した直列回路によって形成され、コイルＬ１側の直列回路の一端がアンテナ本体２に接続され、コイルＬ５側の直列回路の他端がタップＴＰ１に接続される。コイルＬ１とＬ２間の接続点、コイルＬ２とＬ３間の接続点、コイルＬ３とＬ４間の接続点、及び、コイルＬ４とＬ５間の接続点は、夫々、ＦＥＴ１、ＦＥＴ２、ＦＥＴ３及びＦＥＴ４を介して、タップＴＰ１に接続されている。ＣＰＵ１１は、ＦＥＴ１〜ＦＥＴ４のオン／オフを制御することにより、可変ローディングコイル１６のインダクタンス（及びリアクタンス）を可変設定する。
【００４５】
図３は、可変コイル１７の内部回路図である。図３に示す如く、可変コイル１７は、複数のコイルＬ６〜Ｌ８を直列接続した直列回路によって形成され、コイルＬ６側の直列回路の一端がタップＴＰ１に接続され、コイルＬ８側の直列回路の他端がタップＴＰ２に接続される。タップＴＰ１とコイルＬ６間の接続点、コイルＬ６とＬ７間の接続点、及び、コイルＬ７とＬ８間の接続点は、夫々、ＦＥＴ５、ＦＥＴ６及びＦＥＴ７を介して、タップＴＰ２に接続されている。ＣＰＵ１１は、ＦＥＴ５〜ＦＥＴ７のオン／オフを制御することにより、可変コイル１７のインダクタンス（及びリアクタンス）を可変設定する。
【００４６】
また、アンテナ本体２にかかるリアクタンス成分を微調整するべく、コイルＬ６〜Ｌ８の各インダクタンスは、図２のコイルＬ１〜Ｌ５の各インダクタンスよりも小さくされる。
【００４７】
可変コイル１８も、図３の可変コイル１７と同様の構成を有しているため、可変コイル１８の内部回路図の図示及び説明を省略する。尚、可変ローディングコイル１６が５個のコイルＬ１〜Ｌ５から形成される場合を例示したが、勿論、コイルの個数は、５以外であってもよい。また、可変コイル１７（又は１８）が３個のコイルＬ６〜Ｌ８から形成される場合を例示したが、勿論、コイルの個数は、３以外であってもよい。
【００４８】
［インピーダンス整合方法の説明］
次に、図１の受信装置におけるインピーダンス整合方法について説明する。
【００４９】
インピーダンス整合をとるために、信号測定回路９は、メインチューナ４とサブチューナ５の信号強度及びＳ／Ｎ比を同時に読み取る。即ち、同時刻における、メインチューナ４とサブチューナ５の信号強度及びＳ／Ｎ比を読み取る。この際、スイッチＳＷ１及びＳＷ２は択一的にオンとされる。信号測定回路９によって読み取られた内容は、ＣＰＵ１１に伝達される。
【００５０】
ＣＰＵ１１は、信号強度及びＳ／Ｎ比をメインチューナ４とサブチューナ５間で比較し、この比較結果に基づいてインピーダンス調整を実施する。この比較により、メインチューナ４にとってのインピーダンス整合状態がサブチューナ５にとってのインピーダンス整合状態よりも良いか否かを判断できる。勿論、信号強度は信号強度同士で比較され、Ｓ／Ｎ比はＳ／Ｎ比同士で比較される。図４（ａ）〜（ｃ）に、この対比結果の概念図を示す。
【００５１】
図４（ａ）は、スイッチＳＷ１をオンとした時におけるサブチューナ５の信号強度及びＳ／Ｎ比よりもメインチューナ４のそれらの方が高く、且つ、スイッチＳＷ２をオンとした時におけるサブチューナ５の信号強度及びＳ／Ｎ比よりもメインチューナ４のそれらの方が低い状態に対応している。図４（ａ）に対応するこの状態を、以下、「低リアクタンス状態」という。受信装置が低リアクタンス状態にあるとき、ＣＰＵ１１は、メインチューナ４に対してインピーダンス整合がとれておらず、アンテナ本体２までのリアクタンス成分が小さい（低い）と判断する。そして、この場合、ＣＰＵ１１は、可変ローディングコイル１６のリアクタンスが増加する方向に可変ローディングコイル１６を調整する。
【００５２】
図４（ｂ）は、スイッチＳＷ１をオンとした時におけるサブチューナ５の信号強度及びＳ／Ｎ比よりもメインチューナ４のそれらの方が低く、且つ、スイッチＳＷ２をオンとした時におけるサブチューナ５の信号強度及びＳ／Ｎ比よりもメインチューナ４のそれらの方が高い状態に対応している。図４（ｂ）に対応するこの状態を、以下、「高リアクタンス状態」という。受信装置が高リアクタンス状態にあるとき、ＣＰＵ１１は、メインチューナ４に対してインピーダンス整合がとれておらず、アンテナ本体２までのリアクタンス成分が大きい（高い）と判断する。そして、この場合、ＣＰＵ１１は、可変ローディングコイル１６のリアクタンスが減少する方向に可変ローディングコイル１６を調整する。
【００５３】
上記の調整を繰り返すことにより、メインチューナ４にとってのインピーダンス整合状態がサブチューナ５にとってのインピーダンス整合状態よりも良くなる状態を探索する。即ち、図４（ｃ）に示す如く、スイッチＳＷ１をオンとした時におけるサブチューナ５の信号強度及びＳ／Ｎ比よりもメインチューナ４のそれらの方が高く、且つ、スイッチＳＷ２をオンとした時におけるサブチューナ５の信号強度及びＳ／Ｎ比よりもメインチューナ４のそれらの方が高くなる状態が実現されるように、可変ローディングコイル１６のリアクタンスを調整する。図４（ｃ）に対応するこの状態を、以下、「中間リアクタンス状態」という。
【００５４】
中間リアクタンス状態が実現された後、ＣＰＵ１１は、可変コイル１７と１８のリアクタンスを減少させてゆくことによってメインチューナ４に対するアンテナインピーダンスを更に細かく調整し、メインチューナ４及びサブチューナ５に対するアンテナインピーダンスが同程度になったと判断した時点でアンテナインピーダンスの調整を終了する。尚、可変コイル１７と１８のリアクタンスを減少させてゆく過程において、或いは、アンテナインピーダンスの調整の終了後、可変フィルタ４５（及び５５）の通過帯域を狭めて混信を防止する。
【００５５】
［図５；動作フロー］
次に、上述のインピーダンス整合方法を、図５のフローチャートを参照して更に詳細に説明する。図５は、インピーダンス整合をとるための動作の流れを表すフローチャートである。
【００５６】
まず、ステップＳ１において、ＣＰＵ１１は、アンテナ本体２がＭＦ（Medium Frequency）帯、ＶＨＦ（Very High Frequency）帯及びＵＨＦ（Ultra High Frequency）帯のどの周波数帯の電波を受信しているかを、アンテナ本体２を介してメインチューナ４（又はサブチューナ５）に入力されている信号の周波数から読み取る。そして、読み取った受信周波数帯に適したマッチング回路構成が形成されるように、インピーダンス整合器１を制御する。受信周波数帯に応じたマッチング回路構成の形成手法については後述する。
【００５７】
次に、ステップＳ２において、ＣＰＵ１１は、ユーザからの操作等に従って決定される受信を希望する電波の周波数（即ち、受信周波数）に合わせて、メインチューナ４及びサブチューナ５のチューニングを行う。即ち、受信周波数に応じて、可変フィルタ４５及び５５の通過帯域を適切に設定し、受信周波数に同調をとる。
【００５８】
続いて、ステップＳ３において、ＣＰＵ１１は、データメモリ１２に受信周波数に応じた過去の調整データが記録されているか否かを確認し、記録されている場合はステップＳ４に移行する一方、記録されていない場合はステップＳ５に移行する。調整データには、可変ローディングコイル１６、可変コイル１７及び１８の各インダクタンスを定めるデータが含まれており、それらは、受信周波数と関連付けられつつデータメモリ１２に記録されている。
【００５９】
ステップＳ４において、ＣＰＵ１１は、可変ローディングコイル１６、可変コイル１７及び１８の各リアクタンスが、現在の受信周波数に対応する調整データに応じた各リアクタンスとなるように、インピーダンス調整を実施する。
【００６０】
データメモリ１２には、上記の調整データの他に、ＭＦ帯、ＶＨＦ帯及びＵＨＦ帯の各周波数帯に適応した初期調整データが予め格納されている。ステップＳ５において、ＣＰＵ１１は、可変ローディングコイル１６、可変コイル１７及び１８の各リアクタンスが、現在の受信周波数帯に適応する初期調整データに応じた各リアクタンスとなるように、インピーダンス調整を実施する（即ち、各リアクタンスを所定の初期値に設定する）。
【００６１】
ステップＳ４又はＳ５の処理の後、ステップＳ６に移行する。ステップＳ６では、信号測定回路９が、メインチューナ４とサブチューナ５の夫々の、現在の信号強度及びＳ／Ｎ比を測定する（読み取る）。この際、ＣＰＵ１１がスイッチＳＷ１及びＳＷ２をオン／オフ制御することにより、スイッチＳＷ１のオン時におけるサブチューナ５の信号強度及びＳ／Ｎ比と、スイッチＳＷ２のオン時におけるサブチューナ５の信号強度及びＳ／Ｎ比と、を交互に測定するようにする。そして、信号測定回路９は、ＣＰＵ１１を介して、測定した各信号強度及び各Ｓ／Ｎ比を、「現在の受信周波数並びに可変ローディングコイル１６、可変コイル１７及び１８の各インダクタンス（又は各リアクタンス）」を特定するデータと共に、それらを互いに関連付けつつ、データメモリ１２に保存する。
【００６２】
ステップＳ６の後、ステップＳ８に移行する。ステップＳ８〜Ｓ１０では、ＣＰＵ１１が、現在の信号強度及びＳ／Ｎ比を、メインチューナ４とサブチューナ５間で比較する。勿論、信号強度は信号強度同士で比較され、Ｓ／Ｎ比はＳ／Ｎ比同士で比較される。
【００６３】
まず、ステップＳ８では、メインチューナ４の信号強度及びＳ／Ｎ比がスイッチＳＷ１をオンとした時におけるサブチューナ５の信号強度及びＳ／Ｎ比よりも高いか否かを判断し、前者が後者よりも高い場合はステップＳ１０に移行する一方、そうでない場合はステップＳ９に移行する。
【００６４】
ステップＳ９では、メインチューナ４の信号強度及びＳ／Ｎ比がスイッチＳＷ２をオンとした時におけるサブチューナ５の信号強度及びＳ／Ｎ比よりも高いか否かを判断し、前者が後者よりも高い場合はステップＳ１３に移行する一方、そうでない場合はステップＳ３に戻る。
【００６５】
ステップＳ１０では、メインチューナ４の信号強度及びＳ／Ｎ比がスイッチＳＷ２をオンとした時におけるサブチューナ５の信号強度及びＳ／Ｎ比よりも高いか否かを判断し、前者が後者よりも高い場合はステップＳ１１に移行する一方、そうでない場合はステップＳ１２に移行する。
【００６６】
図４（ａ）に対応する低リアクタンス状態が実現されている時、ステップＳ１２に移行し、図４（ｂ）に対応する高リアクタンス状態が実現されている時、ステップＳ１３に移行し、図４（ｃ）に対応する中間リアクタンス状態が実現されている時、ステップＳ１１に移行することになる。
【００６７】
ステップＳ１１において、ＣＰＵ１１は、可変コイル１７と１８の各リアクタンスを所定量減少させることによって、メインチューナ４に対するアンテナインピーダンスを微調整する。
【００６８】
ステップＳ１２において、ＣＰＵ１１は、可変ローディングコイル１６のリアクタンスを所定量増加させることによって、メインチューナ４に対するアンテナインピーダンスを増加させる。一方、ステップＳ１３において、ＣＰＵ１１は、可変ローディングコイル１６のリアクタンスを所定量減少させることによって、メインチューナ４に対するアンテナインピーダンスを減少させる。ステップＳ１２又はＳ１３の後、ステップＳ６に戻り、上述の各処理が繰り返される。
【００６９】
ステップＳ１１の後、ステップＳ１４において、ＣＰＵ１１は、現在の信号強度及びＳ／Ｎ比を、メインチューナ４とサブチューナ５間で比較する。サブチューナ５に関しては、スイッチＳＷ１がオン時の信号強度及びＳ／Ｎ比と、スイッチＳＷ２がオン時の信号強度及びＳ／Ｎ比と、が比較の対象となる。勿論、信号強度は信号強度同士で比較され、Ｓ／Ｎ比はＳ／Ｎ比同士で比較される。ステップＳ１４において比較の対象となる信号強度及びＳ／Ｎ比として、ステップＳ６にて測定されたそれらを用いることも可能であるが、比較の対象となる信号強度及びＳ／Ｎ比をステップＳ１４にて再測定することも可能である。
【００７０】
そして、スイッチＳＷ１及びＳＷ２の何れをオンとしたとしても、メインチューナ４とサブチューナ５の信号強度及びＳ／Ｎ比が同程度であると判断される時、ステップＳ１５に移行し、そうでない時、ステップＳ６に戻る。より具体的には、以下の第１及び第２条件の双方を満たす時にステップＳ１５に移行し、そうでない時にステップＳ６に戻るようにする。
第１条件は、「スイッチＳＷ１及びＳＷ２の何れをオンとしたとしても、メインチューナ４の信号強度とサブチューナ５の信号強度との差が所定の閾値以下である」という条件である。
第２条件は、「スイッチＳＷ１及びＳＷ２の何れをオンとしたとしても、メインチューナ４のＳ／Ｎ比とサブチューナ５のＳ／Ｎ比との差が所定の閾値以下である」という条件である。
【００７１】
また、ステップＳ１４において、以下の第３及び第４条件の双方を満たす時にステップＳ１５に移行し、そうでない時にステップＳ６に戻るようにしてもよい。
第３条件は、「スイッチＳＷ１及びＳＷ２の何れをオンとしたとしても、メインチューナ４とサブチューナ５の信号強度が共に所定の閾値以上である」という条件である。
第４条件は、「スイッチＳＷ１及びＳＷ２の何れをオンとしたとしても、メインチューナ４とサブチューナ５のＳ／Ｎ比が共に所定の閾値以上である」という条件である。
【００７２】
ステップＳ１５では、現在の受信周波数に対するアンテナインピーダンスの調整が完了したと判断して、ＣＰＵ１１が現在の受信周波数に対する調整データを生成し、この調整データを現在の受信周波数と関連付けてデータメモリ１２に保存する。ここで生成及び保存される調整データは、現時点の可変ローディングコイル１６、可変コイル１７及び１８の各インダクタンスを定めるデータ（図２や図３における何れのＦＥＴをオンするかを表すデータ）を含む。その調整データは、以後、ステップＳ３及びＳ４に至った場合に、過去の調整データとして取り扱われる。尚、ステップＳ１５を省略し、ステップＳ６にて保存されたデータを調整データとして取り扱うことも可能である。
【００７３】
ステップＳ１５の処理を終えると、一旦、図５の動作は完了するのであるが、信号測定回路９は常にメインチューナ４の信号強度とＳ／Ｎ比を監視しており、特異イベントが発生した時（ステップＳ７）、ステップＳ８に移行して上述の各ステップの処理を実施する。メインチューナ４の信号強度とＳ／Ｎ比（或いは、それらの一方）が突然変化した時、または、メインチューナ４の信号強度とＳ／Ｎ比（或いは、それらの一方）が所定の閾値以下になった時、特異イベントが発生したと判断する。但し、この時、ステップＳ８等の処理を実現するために、ステップＳ８の処理を実行する前に、ステップＳ６における測定処理と同等の測定処理を実施しておく。また、メインチューナ４の信号強度とＳ／Ｎ比の単位時間当たりの変化量が所定の変化量閾値以上となった時、メインチューナ４の信号強度とＳ／Ｎ比が突然変化したと判断される。
【００７４】
尚、ステップＳ６及び／又はステップＳ１５にてデータメモリ１２に保存されるデータ（又は調整データ）の中に、その時の可変フィルタ４５及び５５の通過帯域を特定するデータを含めるようにしても良い。このデータは、再度、同一又は類似する周波数の電波を受信する時に利用可能であり、この利用によって、インピーダンス整合に必要な時間を短縮することができる。
【００７５】
図６（ａ）〜（ｄ）を参照して、インピーダンス整合方法について補足説明する。Ｓ／Ｎ比に着目する。便宜上、スイッチＳＷ１をオンした時におけるサブチューナ５のＳ／Ｎ比を「第１のＳ／Ｎ比」と呼び、スイッチＳＷ２をオンした時におけるサブチューナ５のＳ／Ｎ比を「第２のＳ／Ｎ比」と呼ぶ。
【００７６】
図６（ａ）〜（ｄ）の各グラフおいて、曲線１００は、メインチューナ４のＳ／Ｎ比の周波数依存性を表している。メインチューナ４に対してインピーダンス整合がとれている状態ではメインチューナ４に受信周波数の信号成分が強く入力され、その状態においてメインチューナ４のＳ／Ｎ比は最大値をとる。Ｓ／Ｎ比が最大値をとる周波数は、メインチューナ４の共振周波数である。
【００７７】
図６（ａ）〜（ｄ）の各グラフにおいて、Ｍfは、曲線１００上の、メインチューナ４のＳ／Ｎ比に対応する周波数を表し、Ｓf1は、曲線１００上の、第１のＳ／Ｎ比に対応する周波数を表し、Ｓf2は、曲線１００上の、第２のＳ／Ｎ比に対応する周波数を表す。
【００７８】
図６（ａ）は、メインチューナ４のＳ／Ｎ比が第１のＳ／Ｎ比よりも低く且つ第２のＳ／Ｎ比よりも高くなる状態（図４（ｂ）の高リアクタンス状態）に対応しており、この状態においては、メインチューナ４の共振周波数は周波数Ｍfよりも高いことになる。図６（ａ）の状態が観測されるとき、図５のステップＳ１３の如く、可変ローディングコイル１６のリアクタンスが減少するように可変ローディングコイル１６を調整する。
【００７９】
図６（ｂ）は、メインチューナ４のＳ／Ｎ比が第１のＳ／Ｎ比よりも高く且つ第２のＳ／Ｎ比よりも低くなる状態（図４（ａ）の低リアクタンス状態）に対応しており、この状態においては、メインチューナ４の共振周波数は周波数Ｍfよりも低いことになる。図６（ｂ）の状態が観測されるとき、図５のステップＳ１２の如く、可変ローディングコイル１６のリアクタンスが増加するように可変ローディングコイル１６を調整する。
【００８０】
図６（ｃ）は、メインチューナ４のＳ／Ｎ比が第１及び第２のＳ／Ｎ比よりも高くなる状態（図４（ｃ）の中間リアクタンス状態）に対応しており、この状態においては、メインチューナ４の共振周波数は、周波数Ｍfに近く（或いは一致し）、周波数Ｓf2から周波数Ｓf1の範囲内にある。
【００８１】
従って、図６（ｃ）の状態が観測されたならば、図５のステップＳ１１の如く、可変コイル１７及び１８の各リアクタンスを小さくしてゆき、サブチューナ５にとってのリアクタンス成分をメインチューナ４のそれに近づけてゆく。この際、メインチューナ４にとってのリアクタンスが保持されるように、可変ローディングコイル１６並びに可変コイル１７及び１８の各リアクタンスのバランスをとりながら、可変コイル１７及び１８の各リアクタンスを小さくしてゆく。
【００８２】
可変コイル１７及び１８の各リアクタンスを小さくしてゆくことによって、最終的に、上述の第２又は第４条件が満たされることになる。図６（ｄ）は、第４条件が満たされた状態を表しており、図６（ｄ）の縦軸におけるＴＨは、第４条件における閾値を表している。この状態では、アンテナ本体２とメインチューナ４との間でインピーダンス整合がとられている。
【００８３】
次に、ステップＳ７に対応する特異イベントが発生した時の動作について説明を加える。
【００８４】
ステップＳ７に対応する特異イベントが発生した時、それが、現場における受信電波の電界強度の変化に由来するものか、或いは、アンテナ本体２の形状変化等に由来するものかの判断を行うようにする。この判断のために、ＣＰＵ１１は、その時のメインチューナ４の信号強度及びＳ／Ｎ比とサブチューナ５の信号強度及びＳ／Ｎ比が同程度であるかを判別する。
【００８５】
この判別は、例えば、特異イベントの発生時におけるメインチューナ４とサブチューナ５の信号強度及びＳ／Ｎ比に対して、上記第１及び第２条件が成立するか否かを判別することによって行われる。そして、上記第１及び第２条件が成立する場合は、特異イベントの発生が現場における受信電波の電界強度の変化に由来するものと判断する。この場合、インピーダンス整合状態は維持されているため、可変ローディングコイル１６並びに可変コイル１７及び１８の各リアクタンスは、現状のまま維持される。
【００８６】
一方、上記第１及び第２条件が成立しない場合、特異イベントの発生がアンテナ本体２の形状変化等に由来するものと判断する。特異イベントの発生がアンテナ本体２の形状変化等に由来すると判断された場合、再びメインチューナ４とサブチューナ５の信号強度及びＳ／Ｎ比が同程度となるように、即ち、再びアンテナ本体２とメインチューナ４との間でインピーダンス整合がとられるように、インピーダンス整合器１を調整する。例えば、スイッチＳＷ１をオンとした時のサブチューナ５のＳ／Ｎ比（又は信号強度）からメインチューナ４のＳ／Ｎ比（又は信号強度）を差し引くことによって得られる値が正である場合、アンテナ本体２のインピーダンスが増加したと判断できる。これは、図６（ｃ）又は（ｄ）の状態から図６（ａ）の状態に移行する場合に対応している。従って、この場合、可変ローディングコイル１６のリアクタンスが減少するように可変ローディングコイル１６を調整すればよい。逆の場合も同様である。
【００８７】
また、この調整の際、各信号強度及び各Ｓ／Ｎ比の単位時間（例えば、１００ミリ秒）当たりの変化量を監視して、この変化量に応じて調整を実施するようにすると良い。図１の受信装置を携帯機器（不図示）などに組み込んだ場合、アンテナ本体２の形状変化やアンテナ本体２に対する人体の影響の変化が継続的に発生することが多い。そこで、各変化量から、どれだけどの方向にアンテナインピーダンスの調整を行えばよいかを予測しつつ調整を行って、調整を迅速に且つリアルタイムに行う。
【００８８】
これを実現するために、メインチューナ４の信号強度及びＳ／Ｎ比の夫々の単位時間当たりの変化量をＣＰＵ１１が読み取る。更に、スイッチＳＷ１とＳＷ２を単位時間が経過するごとに交互にオンとすることによって、スイッチＳＷ１をオンとした時におけるサブチューナ５の信号強度及びＳ／Ｎ比の夫々の単位時間当たりの変化量、並びに、スイッチＳＷ２をオンとした時におけるサブチューナ５の信号強度及びＳ／Ｎ比の夫々の単位時間当たりの変化量を、ＣＰＵ１１が読み取る。
【００８９】
そして、ＣＰＵ１１は、読み取った各変化量に基づいて、アンテナ本体２のインピーダンスが増加する方向に向かっているのか或いは減少する方向に向かっているのかを判断し、その判断結果に応じて各リアクタンスを調整する。
【００９０】
Ｓ／Ｎ比に着目して具体例を挙げる。或る着目期間において、図６（ｄ）に対応するインピーダンス整合状態から図６（ａ）に対応する状態（高リアクタンス状態）に遷移したとする。ＣＰＵ１１は、その着目期間における各Ｓ／Ｎ比の変化量に基づいて、アンテナ本体２のインピーダンスが増加したと認識すると共にその増加を打ち消す方向にインピーダンス整合器１を調整する。即ち、アンテナ本体２とメインチューナ４との間で再度インピーダンス整合をとらせるべく、可変ローディングコイル１６のリアクタンスを減少させる方向に調整する。必要に応じて、可変コイル１７及び１８の各リアクタンスの調整も行う。
【００９１】
アンテナ本体２の形状変化等に由来してアンテナ本体２のインピーダンスが増加した場合、その後も、更にアンテナ本体２のインピーダンスが増加していくことが考えられる。従って、着目期間においてアンテナ本体２のインピーダンスが増加したと判断される場合、そのインピーダンスが今後も増加していくと予想し、今後の増加分をも打ち消すように、可変ローディングコイル１６のリアクタンスを多めに減少させてもよい。
【００９２】
また、その着目期間における各Ｓ／Ｎ比の変化量に基づけば、アンテナ本体２とメインチューナ４との間でインピーダンス整合をとるために、どの程度、各リアクタンスを変化させればよいかを推測可能である。そのため、ＣＰＵ１１は、着目期間における各Ｓ／Ｎ比の変化量に基づいてアンテナ本体２のインピーダンスの変化量を計算し、その計算結果に基づいて可変ローディングコイル１６並びに可変コイル１７及び１８の各リアクタンスの変更量を決定するとよい。
【００９３】
例えば、各Ｓ／Ｎ比の変化量が大きくメインチューナ４のＳ／Ｎ比とスイッチＳＷ１（又はＳＷ２）オン時におけるサブチューナのＳ／Ｎ比が比較的大きくずれた場合は、可変ローディングコイル１６のリアクタンスの変更量を比較的多くし、各Ｓ／Ｎ比の変化量が小さくメインチューナ４のＳ／Ｎ比とスイッチＳＷ１（又はＳＷ２）オン時におけるサブチューナのＳ／Ｎ比が比較的小さくずれた場合は、可変ローディングコイル１６のリアクタンスの変更量を比較的小さくする。これらのフィードバック処理を繰り返し実施することで、リアルタイムにメインチューナ４の受信状態が最適な状態に保たれる。尚、各Ｓ／Ｎ比の変化量に応じて各リアクタンスの変更量を定めるに伴い、可変フィルタ４５及び５５の通過帯域の調整も速く或いは遅くするとよい。
【００９４】
変化量に基づく調整手法の具体例をＳ／Ｎ比のみに着目して説明したが、信号強度に基づいて調整する場合も同様である。
【００９５】
［インピーダンス整合の帯域ごとの具体例］
次に、放送波の異なる帯域ごとに、インピーダンス整合の具体的手法を説明する。
【００９６】
ＡＭラジオを受信する場合、ＣＰＵ１１は、ＭＦ帯の受信に適したマッチング回路構成が形成されるように、インピーダンス整合器１を制御する。通常、受信する周波数が低い場合は大きなリアクタンス成分が必要となり、周波数が高い場合は小さいリアクタンス成分が必要となる。従って、ＡＭラジオを受信する場合、大きいリアクタンス成分が得られるようにインピーダンス整合器１を制御する。より具体的には、可変ローディングコイル１６のリアクタンス成分が比較的大きくなるように、図２のＦＥＴ１〜４を全てオフとする或いはタップＴＰ１側に近いＦＥＴをオンとする。ＶＨＦ帯及びＵＨＦ帯を受信する際に形成されるマッチング回路構成では、可変ローディングコイル１６において、アンテナ本体２により近いＦＥＴがオンとされる。ＭＦ帯の電波の波長は約１８５メートル以上あるため、アンテナ本体２は高短縮型アンテナとなる。このため、受信可能な周波数帯域が狭くなり、アンテナ本体２の形状変化の影響が大きい。
【００９７】
ＦＭラジオ又はＴＶ（テレビジョン）放送の１〜１２ｃｈ（チャネル）を受信する場合、ＣＰＵ１１は、ＶＨＦ帯の受信に適したマッチング回路構成が形成されるように、インピーダンス整合器１を制御する。ＶＨＦ帯の電波の波長は約１．９５〜３．９５メートルであるため、アンテナ本体２は短縮型アンテナとなる。その波長は、ＭＦ帯のそれよりも短いものの、アンテナ本体２の形状変化や人体の影響に由来する、アンテナ本体２のインピーダンス変化を考慮する必要がある。
【００９８】
従って、ＭＦ帯又はＶＨＦ帯の電波を受信する際、上述のようなインピーダンス整合方法の実施は有益である。即ち、メインチューナ４とサブチューナ５の信号強度及びＳ／Ｎ比の高低関係に基づいて、アンテナ本体２とメインチューナ４との間のインピーダンス整合がとられる方向にインピーダンス整合器１を調節する。また、アンテナ本体２のインピーダンス変化にリアルタイムに追従してインピーダンス整合状態を維持するべく、上述の如く、各信号強度の変化量及び各Ｓ／Ｎ比の変化量に基づき、アンテナ本体２のインピーダンスの変化（単位時間当たりの変化量）を監視する。そして、アンテナ本体２のインピーダンスが増加していく方向に向かっている場合は、可変ローディングコイル１６のリアクタンスを減らす方向に調整する。一方、アンテナ本体２のインピーダンスが減少していく方向に向かっている場合は、可変ローディングコイル１６のリアクタンスを増加させる方向に調整する。
【００９９】
ＴＶ放送の１３〜６２ｃｈ（チャネル）を受信する場合、ＣＰＵ１１は、ＵＨＦ帯の受信に適したマッチング回路構成が形成されるように、インピーダンス整合器１を制御する。ＵＨＦ帯の電波の波長は約３９〜６４センチメートルであるため、アンテナ本体２は非短縮型アンテナとなる。しかしながら、アンテナ本体２の形状が変化すると、アンテナ本体２のインピーダンス変化が見られる。
【０１００】
従って、ＵＨＦ帯の電波を受信する際においても、上述のようなインピーダンス整合方法の実施は有益である。即ち、メインチューナ４とサブチューナ５の信号強度及びＳ／Ｎ比の高低関係に基づいて、アンテナ本体２とメインチューナ４との間のインピーダンス整合がとられる方向に、インピーダンス整合器１を調節する。
【０１０１】
また、ＵＨＦ帯の電波の受信を想定した場合、可変コイル１７及び１８の夫々に並列に接続された可変容量ダイオード（図１において不図示）のキャパシタンス成分の調整も有益である。即ち、インピーダンス整合器１において、図７に示す如く、可変コイル１７に可変容量ダイオード６１を並列接続し、可変コイル１８に可変容量ダイオード６２を並列接続しておく。そして、上述の如く、各信号強度の変化量及び各Ｓ／Ｎ比の変化量に基づき、アンテナ本体２のインピーダンスの変化（単位時間当たりの変化量）を監視する。
【０１０２】
そして、アンテナ本体２のインピーダンスが増加していく方向に向かっている場合は、キャパシタンス成分を増やすために、可変容量ダイオード６１及び６２に加わる電圧を下げて可変容量ダイオード６１及び６２の容量が上がる方向に調整する。一方、アンテナ本体２のインピーダンスが減少していく方向に向かっている場合は、キャパシタンス成分を減らすために、可変容量ダイオード６１及び６２に加わる電圧を上げて可変容量ダイオード６１及び６２の容量が下がる方向に調整する。
【０１０３】
上述の如く、メインチューナ４及びサブチューナ５の各信号強度及び各Ｓ／Ｎ比を参照してメインチューナ４の信号強度及びＳ／Ｎ比が最大となる状態を探索することにより、擬似的に最良点を見つけ出し、これによってインピーダンス整合を実現する。
【０１０４】
また、アンテナ本体２のインピーダンス変化に追従したインピーダンス調整が行われるため、アンテナ本体２の形状変化や人体の影響に由来する受信状態の変化が抑制される。更に、チューナ側でなく、可変ローディングコイル１６並びに可変コイル１７及び１８を含むコイル回路を利用してアンテナ側でインピーダンス調整を行うため、インピーダンス整合をとれる周波数範囲が広くなり、ＭＦ帯、ＶＨＦ帯及びＵＨＦ帯を含む広帯域での対応が可能である。
【０１０５】
尚、上述の説明では、信号強度とＳ／Ｎ比の双方に着目してインピーダンス整合をとるための制御を実施しているが、何れか一方のみに着目して同様の制御を実現することも可能である。
【０１０６】
信号強度に着目する場合は、Ｓ／Ｎ比に基づく判断及び制御は不要である（例えば、上述の説明文中におけるＳ／Ｎ比に関する記述を無視すればよい）。この場合、インピーダンス整合をとるために、メインチューナ４の信号強度とスイッチＳＷ１及びＳＷ２をオンとした時におけるサブチューナ５の各信号強度とが同程度となるように、可変ローディングコイル１６並びに可変コイル１７及び１８の各リアクタンスを調整すればよい。
【０１０７】
同様に、Ｓ／Ｎ比に着目する場合は、信号強度に基づく判断及び制御は不要である（例えば、上述の説明文中における信号強度に関する記述を無視すればよい）。この場合、インピーダンス整合をとるために、メインチューナ４のＳ／Ｎ比とスイッチＳＷ１及びＳＷ２をオンとした時におけるサブチューナ５の各Ｓ／Ｎ比とが同程度となるように、可変ローディングコイル１６並びに可変コイル１７及び１８の各リアクタンスを調整すればよい。
【０１０８】
また、図１の受信装置１では、単一の局部発振回路３にて生成される単一の局部信号をメインチューナ４とサブチューナ５にて共用しているが、サブチューナ５に局部発振回路（不図示）を別個に設けて、その局部発振回路にて生成される局部信号をミキサ５２に与えるようにしてもよい。この場合、メインチューナ４に設けられた局部発振回路３が生成する局部信号と、サブチューナ５に設けられた局部発振回路（不図示）が生成する局部信号と、が共通の周波数（究極的には、完全同一の周波数）を持つようにするとよい。ここにおける共通の周波数とは、或る程度の誤差を含む、幅を持った周波数と解釈されるべきである。
【０１０９】
しかしながら、この場合、双方の局部発振回路に高精度の振動子が必要となると共に１つ分の局部発振回路の設置面積及びコストが増大する。また、完全に同一の周波数を発振させることはできないため、局部信号の周波数ずれも問題となる。このため、図１の如く、単一の局部発振回路３を共用することが望ましい。
【産業上の利用可能性】
【０１１０】
本発明に係る受信装置は、携帯電話機、携帯型ラジオ受信機及び携帯型テレビ受信機などの携帯機器に、特に好適である。
【図面の簡単な説明】
【０１１１】
【図１】本発明の実施形態に係る受信装置の回路構成図である。
【図２】図１の可変ローディングコイルの内部回路図である。
【図３】図１の可変コイルの内部回路図である。
【図４】図１のアンテナインピーダンス整合器におけるリアクタンス状態と、各チューナの信号強度及びＳ／Ｎ比と、の関係を表す概念図である。
【図５】図１の受信装置にて実施される、インピーダンス整合に関する動作の流れを表すフローチャートである。
【図６】図１の受信装置におけるインピーダンス整合方法を補足的に説明するための図である。
【図７】図１のアンテナインピーダンス整合器に可変容量ダイオードが設けられている状態を示す図である。
【符号の説明】
【０１１２】
１  アンテナインピーダンス整合器
２  アンテナ本体
３  局部発振回路
４  メインチューナ
５  サブチューナ
８  制御電圧ジェネレータ
９  信号測定回路
１１  ＣＰＵ
１２  データメモリ
１３  プログラムメモリ
１６  可変ローディングコイル
１７、１８  可変コイル
ＳＷ１、ＳＷ２  スイッチ
４１、５１  ＲＦアンプ
４２、５２  ミキサ
４５、５５  可変フィルタ
４７、５７  信号強度検出回路
４８、５８  Ｓ／Ｎ比検出回路
【図１】
2008160226.tif 000003
【図２】
2008160226.tif 000004
【図３】
2008160226.tif 000005
【図４】
2008160226.tif 000006
【図５】
2008160226.tif 000007
【図６】
2008160226.tif 000008
【図７】
2008160226.tif 000009